(57)【要約】【課題】画像形成装置の小型化や、画像形成時間の短縮、画像の鮮明度向上などを図る。【解決手段】画像データに対応する画像を可視媒体上に形成する画像形成装置（ディジタルカメラ１００）は、画像データに応じた画像を表示する画像表示装置（液晶表示装置１２０）と、液晶表示装置１２０の表面側に設けられる挟視野角プレート１３０と、を備え、挟視野角プレート１３０を介して、液晶表示装置１２０から出射する光で感光フィルム１４２を露光して可視画像を形成するように構成されている。【選択図】図１
2019202449.tif 000002
【特許請求の範囲】
【請求項１】
画像データに対応する画像を可視媒体上に形成する画像形成装置であって、
画像データに応じた画像を表示する画像表示装置と、
上記画像表示装置の表面側に設けられる挟視野角プレートと、
を備え、
上記挟視野角プレートを介して、上記画像表示装置から出射する光で感光フィルムを露光して可視画像を形成するように構成されたことを特徴とする画像形成装置。
【請求項２】
請求項１の画像形成装置であって、
上記挟視野角プレートは、第１のルーバー層と第２のルーバー層とを有し、上記第１のルーバー層と第２のルーバー層には、それぞれ、挟視野角プレートの表面に沿う方向、かつ、互いに交差する方向に配置された複数の遮光ルーバーが形成されていることを特徴とする画像形成装置。
【請求項３】
請求項２の画像形成装置であって、
上記複数の遮光ルーバーの間には、透明部材が設けられていることを特徴とする画像形成装置。
【請求項４】
請求項２および請求項３のうち何れか１項の画像形成装置であって、
上記複数のルーバーのピッチは、上記画像表示装置の画素のピッチよりも短く設定されていることを特徴とする画像形成装置。
【請求項５】
請求項１から請求項４のうち何れか１項の画像形成装置であって、
上記露光される感光フィルムが上記挟視野角プレートに押圧されるように構成されていることを特徴とする画像形成装置。
【請求項６】
請求項１の画像形成装置であって、
さらに、上記画像データを出力するカメラモジュールを備えたことを特徴とする画像形成装置。
【発明の詳細な説明】
【技術分野】
【０００１】
本発明は、画像データに対応する画像を可視媒体上に形成する画像形成装置に関するものである。
【背景技術】
【０００２】
光感応性シートに画像を生成するプリンタとして、例えば液晶ディスプレイに表示された画像をロッドレンズアレイを介して光感応性シートに投影するようにした装置が知られている（例えば、特許文献１参照。）。
【０００３】
また、液晶ディスプレイの裏面とバックライトとの間に、バックライトからの光の拡散を抑制する格子を設け、液晶ディスプレイの表面に感光フィルムを密着させて表示画像を印写する装置が知られている（例えば、特許文献２参照。）。
【０００４】
また、透過型の画像表示手段と、画像表示面に平行に光を射出する線状光源からの射出光を略平行光にする平行光生成素子と、上記略平行光を画像表示面に対して略垂直に透過させるように反射する反射手段と、上記線状光源、平行光生成素子、および反射手段を画像表示面に平行に移動させる移動手段とを備え、感光性記録媒体を走査露光して表示画像を転写する技術も知られている（例えば、特許文献３参照。）。
【先行技術文献】
【特許文献】
【０００５】
【特許文献１】特開平１０−３０９８２９号公報
【特許文献２】特開平１１−２４２２９８号公報
【特許文献３】特開２００３−２４１３１８号公報
【発明の概要】
【発明が解決しようとする課題】
【０００６】
上記のように液晶ディスプレイの表示画像をロッドレンズアレイ等を介して光感応性シートに投影する装置では、上記ロッドレンズアレイは、液晶ディスプレイに表示された画像を光感応性シート上に結像させ得るように所定の厚さを必要とする。このため、装置の厚さ方向の寸法を短く抑えることが困難である。
【０００７】
また、液晶ディスプレイの裏面とバックライトとの間に格子を設けた装置では、バックライトからの光が格子によって平行光に近づけられるものの、液晶ディスプレイから出射する光は、やはり広がりを持ったものとなり、鮮明な画像を形成することが困難である。
【０００８】
また、感光性記録媒体を走査露光する装置では、その走査に時間がかかるため、画像形成に要する時間を短く抑えることが困難である。
【０００９】
上記の点に鑑み、本発明は、装置の小型化や、画像形成に要する時間を短く抑えること、および／または鮮明な画像を形成することなどが容易にできるようにすることを目的としている。
【課題を解決するための手段】
【００１０】
上記の目的を達成するために、
本発明は、
画像データに対応する画像を可視媒体上に形成する画像形成装置であって、
画像データに応じた画像を表示する画像表示装置と、
上記画像表示装置の表面側に設けられる挟視野角プレートと、
を備え、
上記挟視野角プレートを介して、上記画像表示装置から出射する光で感光フィルムを露光して可視画像を形成するように構成されたことを特徴とする。
【００１１】
これにより、液晶表示装置から出射し、挟視野角プレートで拡散を抑制された光によって感光フィルムが露光されるので、比較的鮮明な画像を形成することが容易にできる。
【発明の効果】
【００１２】
本発明では、装置の小型化や、画像形成に要する時間を短く抑えること、および／または鮮明な画像を形成することなどが容易にできる。
【図面の簡単な説明】
【００１３】
【図１】画像形成装置の要部の構成を示す縦断面図である。
【図２】液晶表示装置、狭視野角プレート、および感光フィルムの関係を模式的に示す斜視図である。
【図３】狭視野角プレートの構成を示す拡大斜視図である。
【図４】狭視野角プレートを用いない場合の形成画像の例を示す説明図である。
【図５】狭視野角プレートを用いた場合の形成画像の例を示す説明図である。
【発明を実施するための形態】
【００１４】
以下、本発明の実施形態として、被写体を撮影して可視媒体上に可視画像形成するディジタルカメラの例を説明する。
【００１５】
（ディジタルカメラの概略構成）
図１に模式的に示すように、ディジタルカメラ１００は、筐体１１０内に、被写体を撮影するカメラモジュール１８０と、撮影画像の画像データに応じた画像を表示する液晶表示装置１２０（画像表示装置）と、電池１７０とを備えている。
【００１６】
液晶表示装置１２０は、図２に模式的に示すように、バックライト１２０ａ、液晶パネル１２０ｂ、および保護ガラス１２０ｃが順に積層されて構成されている。液晶表示装置１２０の解像度は特に限定されないが、例えば画素ピッチが約０．０７ｍｍ程度のものが用いられる。液晶表示装置１２０の表面側には、例えば厚さが約４．４ｍｍ、視野角が±約５°の挟視野角プレート１３０が設けられている。
【００１７】
上記挟視野角プレート１３０は、例えば図３に示すように、高透明シリコーン樹脂から成る３枚の高透明フィルム１３１〜１３３の間に、２層のルーバー層１３４・１３５が設けられて構成されている。ルーバー層１３４には、挟視野角プレート１３０の表面に垂直な壁面方向で、挟視野角プレート１３０の表面に沿って互いに平行な方向に配置された複数の遮光ルーバー１３４ａが設けられている。各遮光ルーバー１３４ａの間には、透明部材１３４ｂが設けられている。上記遮光ルーバー１３４ａは、シリコーン遮光壁から成り、透明部材１３４ｂは、高透明シリコーン樹脂から成っている。また、ルーバー層１３５には、ルーバー層１３４の遮光ルーバー１３４ａと交差（直交）する方向に配置された複数の遮光ルーバー１３５ａが設けられている。各遮光ルーバー１３５ａの間には、透明部材１３５ｂが設けられている。上記遮光ルーバー１３４ａ・１３５ａのピッチは、特に限定されないが、液晶表示装置１２０の画素ピッチよりも短く設定されることは通常好ましい。
【００１８】
ディジタルカメラ１００の筐体１１０内には、フィルムパック１４０が装填されている。フィルムパック１４０は、フィルムケース１４１内に複数枚の感光フィルム１４２が積層されて成っている。上記感光フィルム１４２は、図示しない押圧機構によって挟視野角プレート１３０に押圧され、挟視野角プレート１３０に最も近い感光フィルム１４２は挟視野角プレート１３０に密着して、面密着露光されるようになっている。
【００１９】
ディジタルカメラ１００の筐体１１０内には、また、モータ１５０と展開ローラ１６０とが設けられ、液晶表示装置１２０によって露光された感光フィルム１４２を現像処理しながら排出口１１１から排出するようになっている。
【００２０】
（ディジタルカメラの動作）
上記のようなディジタルカメラ１００で感光フィルム１４２に撮影画像が印刷される場合には、次のような動作が行われる。
【００２１】
液晶表示装置１２０は、撮影画像の画像データに基づいて、所定時間だけ、通常の液晶表示装置と同様に画像を表示する。より詳しくは、液晶パネル１２０ｂの各画素ごとに、画像データに基づいた透過率でバックライト１２０ａの光が保護ガラス１２０ｃ側に出射する。
【００２２】
液晶表示装置１２０から出射した光は、挟視野角プレート１３０を介して、視野角が±５°に狭められた範囲で感光フィルム１４２に到達し、感光フィルム１４２の露光が行われる。このように視野角が狭められることによって、比較的鮮明な画像を容易に形成することができる。具体的には、例えば、感光フィルム１４２を液晶表示装置１２０の表面に直接密着させて露光した場合には図４に示すように液晶パネル１２０ｂの各画素からの光が拡散して鮮明度（解像度）がかなり低下するのに比べて、挟視野角プレート１３０を介して露光することにより、図５に示すように鮮明度を大幅に高めることができる。また、挟視野角プレート１３０と感光フィルム１４２との間の距離が多少長くなっても鮮明度の低下に与える影響が小さくなるので、感光フィルム１４２の凹凸等に対する許容性を高く保つことが容易にできる。具体的には、例えば、感光フィルム１４２が±０．５ｍｍ程度の凹凸を有することなどによって、感光フィルム１４２と挟視野角プレート１３０との間にいわゆる浮きが生じる場合などでも、画質の低下を小さく抑えることが容易にできる。もっとも、感光フィルム１４２が挟視野角プレート１３０に押圧されるようにすることにより、鮮明度をより確実に保つことができる。
【００２３】
上記露光が行われた感光フィルム１４２は、展開ローラ１６０により押圧されながら搬送されて排出口１１１から排出される。すなわち、上記押圧によって感光フィルム１４２内の現像定着剤がフィルム内で押し広げられ、可視画像が形成される。なお、可視画像の形成方式自体は本実施形態の主眼ではないので詳細な説明は省略する。
【００２４】
上記のように、挟視野角プレート１３０を介して、液晶表示装置１２０から出射する光で感光フィルム１４２を露光することによって、比較的鮮明な画像を形成することが容易にできる。特に、挟視野角プレート１３０として上記のようなルーバー層１３４・１３５が積層されたものを用いることによって、鮮明度を高めることが容易にできる。
【００２５】
また、挟視野角プレート１３０を用いることによって、厚さ方向の寸法を短く抑えて装置の小型化を図ることも容易にできる。また、線状の露光光でフィルムを走査する場合のように走査時間を必要としないので、画像形成に要する時間を短く抑えることも容易にできる。
【００２６】
また、遮光ルーバー１３４ａ・１３５ａのピッチが、液晶表示装置１２０の画素ピッチよりも短く設定される場合には、液晶表示装置１２０の各画素と、挟視野角プレート１３０の遮光ルーバー１３４ａ・１３５ａとの位置合わせをしなくても、鮮明度を高く保ったりモアレの発生を抑制したりすることが容易にできる。
【００２７】
なお、上記の例では、カメラモジュール１８０によって撮影された画像が感光フィルム１４２上に形成される例を示したが、これに代えて、またはこれとともに、外部から有線または無線などで供給される画像データに基づいた画像を形成できるようにして、プリンタとしても用い得るようにしてもよい。
【符号の説明】
【００２８】
１００      ディジタルカメラ
１１０      筐体
１１１      排出口
１２０      液晶表示装置
１２０ａ    バックライト
１２０ｂ    液晶パネル
１２０ｃ    保護ガラス
１３０      挟視野角プレート
１３１〜１３３    高透明フィルム
１３４・１３５    ルーバー層
１３４ａ・１３５ａ      遮光ルーバー
１３４ｂ・１３５ｂ      透明部材
１４０      フィルムパック
１４１      フィルムケース
１４２      感光フィルム
１５０      モータ
１６０      展開ローラ
１７０      電池
１８０      カメラモジュール
【図１】
2019202449.tif 000003
【図２】
2019202449.tif 000004
【図３】
2019202449.tif 000005
【図４】
2019202449.tif 000006
【図５】
2019202449.tif 000007